(57)【要約】【課題】乾燥機内の湿度に影響されることなく衣類等対象物の除菌および消臭を行うこと。【解決手段】周囲の湿気を吸放出する湿気吸放出手段６、および空気中の水分を結露させたのち静電霧化方式により結露水を微細化した静電霧化発生粒子を収容室１内に供給するための静電霧化発生手段７は、循環送風経路５から分岐したバイパス循環送風経路８内に配設するとともに、湿気吸放出手段６は、静電霧化発生手段７の上流に設けて静電霧化発生手段７近傍の雰囲気湿度を所定の湿度範囲内に保つようにすることにより、乾燥機周辺の湿度に影響されることなく洗濯衣類等対象物の除菌および消臭を行うことができる。【選択図】図１
2011062393.tif 000002
【特許請求の範囲】
【請求項１】
被乾燥物を収容して回転する収容室と、前記収容室内に送風する送風手段と、前記送風手段を稼動させることによって前記収容室内の空気を吸い込み、再び前記収容室内に空気を吹き出す循環送風経路と、空気中の水分を結露させたのち静電霧化方式により該結露水を微細化した静電霧化発生粒子を前記収容室内に供給するための静電霧化発生手段と、周囲の湿気を吸放出する湿気吸放出手段と、前記循環送風経路内の湿度を検知する湿度検知手段とを備え、前記湿気吸放出手段および前記静電霧化発生手段は、前記循環送風経路内に配設するとともに、前記湿気吸放出手段は、前記静電霧化発生手段の上流に設けて前記静電霧化発生手段近傍の雰囲気湿度を所定の湿度範囲内に保つようにすることを特徴とする乾燥機。
【請求項２】
湿気吸放出手段を加熱する加熱手段を備え、静電霧化発生手段近傍の雰囲気湿度が所定の湿度範囲より低いと検知されたとき、前記湿気吸放出手段を前記加熱手段によって加熱することにより、前記静電霧化発生手段近傍の雰囲気湿度を所定の湿度範囲内に保つようにすることを特徴とする請求項１記載の乾燥機。
【請求項３】
湿気吸放出手段の周囲に、金属からなる加熱手段が接触して設けられていることを特徴とする請求項２記載の乾燥機。
【請求項４】
湿気吸放出手段に水を供給するための水供給手段を備え、静電霧化発生手段近傍の雰囲気湿度が所定の湿度より低いと検知された時間が所定時間続いたとき、前記水供給手段は、前記湿気吸放出手段に水を供給することを特徴とする請求項１〜３のいずれか１項に記載の乾燥機。
【請求項５】
湿気吸放出手段は、格子状のフィルター形状を有し、ゼオライト、シリカゲルの少なくともいずれか一方を含む材料から構成されていることを特徴とする請求項１〜４のいずれか１項に記載の乾燥機。
【請求項６】
静電霧化発生手段は、放電極と、放電極に高電圧を印加するための電圧印加手段と、放電極に水を供給する水供給手段とを備え、前記水供給手段は、前記放電極を冷却し空気中の水分を結露させて前記放電極に結露水を生成させるペルチェ素子と、吸熱した熱を放出するための放熱フィンから構成されていることを特徴とする請求項１〜５のいずれか１項に記載の乾燥機。
【請求項７】
静電霧化発生手段は、乾燥終了後に作動させることを特徴とする請求項１〜６のいずれか１項に記載の乾燥機。
【発明の詳細な説明】
【技術分野】
【０００１】
本発明は、収容室内において被乾燥物の乾燥運転を行う乾燥機であり、乾燥運転時に被乾燥物の除菌、消臭を可能とする乾燥機に関するものである。
【背景技術】
【０００２】
近年、衛生に関する関心が高まると共に洗濯工程や乾燥工程においても除菌や消臭を実現する機能が望まれるようになっている。被乾燥物を収容するドラム形状の収容室を有する乾燥機においても収容室内に衣類や布製品、玩具や小物といった除菌や脱臭の対象となるものを投入し、数十分の高温風を吹き付ける運転を行う専用コースが設定されている。
【０００３】
乾燥機においては高温の乾燥空気を吹きつけながら乾燥工程を進めていくため、菌の繁殖を抑制するには有利と考えられるものの、被乾燥物を乾燥させる際に高温空気中に取り込まれるリントやごみなどの異物から、被乾燥物より除去した水分が多量に含まれた空気を結露させて除湿するための冷却コイルまたはヒートポンプ式においては蒸発器を守るための捕捉フィルターに対する除菌手段は積極的になされてはいなかった。
【０００４】
乾燥機に対する具体的な除菌・消臭手段としては、殺菌効果のあるオゾンガスを循環風にのせて機体内を循環させたり、被乾燥物を収容する収容室に使用する樹脂部品や金属成分、フィルター部に使用する樹脂部品や繊維成分に抗菌成分を添加して除菌を行う方法が提案されている。
【０００５】
しかし、収容室の壁面やフィルター表面に異物が付着した場合には、収容室やフィルターと直接接触していない異物の表面で菌やカビが繁殖し、防菌効果が不十分となる。同様に、接触した部分のみに除菌効果が発現されても、接触していない部分での除菌効果や脱臭効果においては全く期待することが困難である。そのため、積極的に洗濯物等の菌の繁殖しやすい箇所や不快な臭いの発生源となりうるものに対して、静電霧化方式によって発生させた静電霧化発生粒子を、空気中を移動させることにより接触させる新たな除菌および脱臭方法が提案されている。さらに、この静電霧化方式においては、周辺の空気中の水分を放電極先端で結露させ、放電時に発生するラジカル種と共に粒子とすることで除菌や脱臭効果を発現する粒子としている（例えば、特許文献１参照）。
【先行技術文献】
【特許文献】
【０００６】
【特許文献１】特開２００８−２３７４４２号公報
【発明の概要】
【発明が解決しようとする課題】
【０００７】
しかしながら、静電霧化方式により発生させた静電霧化発生粒子を除菌および脱臭に用いる方法においては静電霧化装置周辺の湿度によって霧化させる際の電圧値が変動したり、発生する霧化粒子の量が大きく変動し、安定した霧化粒子生成量を維持することが困難であった。すなわち、乾燥機においては静電霧化装置周辺の湿度が低いため、放電極先端で結露する水分量が減り、ラジカル種と共に霧化粒子となる絶対量が減少し、除菌および脱臭効果が下がってしまうといった課題が存在していた。
【０００８】
本発明は、前記従来の課題を解決するもので、静電霧化装置周辺の湿度が乾燥機の設置環境や運転条件によって変化した際も安定して静電霧化発生粒子を生成し、被乾燥物や乾燥機の除菌および脱臭効果を維持させることを実現するものである。
【課題を解決するための手段】
【０００９】
前記従来の課題を解決するために、本発明の乾燥機は、被乾燥物を収容して回転する収容室と、前記収容室内に送風する送風手段と、前記送風手段を稼動させることによって前記収容室内の空気を吸い込み、再び前記収容室内に空気を吹き出す循環送風経路と、空気中の水分を結露させたのち静電霧化方式により該結露水を微細化した静電霧化発生粒子を前記収容室内に供給するための静電霧化発生手段と、周囲の湿気を吸放出する湿気吸放出手段と、前記循環送風経路内の湿度を検知する湿度検知手段とを備え、前記湿気吸放出手段および前記静電霧化発生手段は、前記循環送風経路内に配設するとともに、前記湿気吸放出手段は、前記静電霧化発生手段の上流に設けて前記静電霧化発生手段近傍の雰囲気湿度を所定の湿度範囲内に保つようにするものである。
【００１０】
これによって、適切な湿度下に静電霧化発生手段が置かれるので、電気を帯びた微細な水分子の塊で、かつ酸化力の強いラジカルを含んだ静電霧化発生粒子を発生させることができ、かつ、その発生量が安定し、除菌および脱臭機能を安定して発現させることができ、また、静電霧化発生粒子を風に乗せて衣類や収容室に曝露させることにより衣類等を濡らすことなく、かつ菌の発生している箇所や臭いの発生源に直接的に効果を与えることができる。
【発明の効果】
【００１１】
本発明の乾燥機は、乾燥機の設置環境や使用状況に影響されることなく、湿気吸放出手段によって静電霧化発生手段の周辺湿度を制御し、静電霧化発生手段から供給される静電霧化発生粒子を被乾燥物が収納されている収納室およびフィルター部または被乾燥物に対して安定して曝露させることで、乾燥機や被乾燥物を菌の繁殖から守り、かつ消臭を行い、常に清潔な状態に維持することができる。
【図面の簡単な説明】
【００１２】
【図１】本発明の実施の形態１における乾燥機の断面概略図
【図２】同乾燥機の静電霧化発生手段の断面概略図
【図３】同乾燥機の湿気吸放出手段の概略図
【図４】同乾燥機の湿気吸放出手段の相対湿度と含水率の関係図
【図５】本発明の実施の形態２における乾燥機の静電霧化発生手段の断面概略図
【発明を実施するための形態】
【００１３】
第１の発明は、被乾燥物を収容して回転する収容室と、前記収容室内に送風する送風手段と、前記送風手段を稼動させることによって前記収容室内の空気を吸い込み、再び前記収容室内に空気を吹き出す循環送風経路と、空気中の水分を結露させたのち静電霧化方式により該結露水を微細化した静電霧化発生粒子を前記収容室内に供給するための静電霧化発生手段と、周囲の湿気を吸放出する湿気吸放出手段と、前記循環送風経路内の湿度を検知する湿度検知手段とを備え、前記湿気吸放出手段および前記静電霧化発生手段は、前記循環送風経路内に配設するとともに、前記湿気吸放出手段は、前記静電霧化発生手段の上流に設けて前記静電霧化発生手段近傍の雰囲気湿度を所定の湿度範囲内に保つようにすることを特徴とする乾燥機とすることにより、被乾燥物の収容室内より送風手段によって送られた高温多湿の空気が、冷却部において除湿された後、さらに加熱部において高温低湿となって送風された場合においても、湿気放出手段に吸着されていた水分が空気中に放出され、湿度が高められた空気となることで、静電霧化発生手段周辺の湿度は調整され、静電霧化発生粒子を一定量安定して発生させることができ、乾燥機の設置環境や使用状況に影響されることなく、湿気吸放出手段によって静電霧化発生手段の周辺湿度を制御し、静電霧化発生手段から供給される静電霧化発生粒子を被乾燥物が収納されている収容室または対象物に対して安定して曝露させることで、乾燥機や対象物を菌の繁殖から守り、かつ
消臭を行い、常に清潔な状態に維持することができる。
【００１４】
第２の発明は、特に、第１の発明において、湿気吸放出手段を加熱する加熱手段を備え、静電霧化発生手段近傍の雰囲気湿度が所定の湿度範囲より低いと検知されたとき、前記湿気吸放出手段を前記加熱手段によって加熱することにより、前記静電霧化発生手段近傍の雰囲気湿度を所定の湿度範囲内に保つようにすることを特徴とする乾燥機とすることにより、湿気吸放出手段が迅速に温められ吸放出手段に吸着されていた水分が速やかに放出され、循環送風経路内において前記湿気吸放出手段の下流側に位置する静電霧化発生手段近傍の湿度を所定の湿度範囲内にすることができる。
【００１５】
第３の発明は、特に、第２の発明において、湿気吸放出手段の周囲に、金属からなる加熱手段が接触して設けられていることを特徴とする乾燥機とすることにより、加熱手段において発生した熱エネルギーが速やかでかつロスが少なく湿気吸放出手段に伝達され、効率良く水分の放出を行うことができる。
【００１６】
第４の発明は、特に、第１〜３の発明のいずれか１つの発明において、湿気吸放出手段に水を供給するための水供給手段を備え、静電霧化発生手段近傍の雰囲気湿度が所定の湿度より低いと検知された時間が所定時間続いたとき、前記水供給手段は、前記湿気吸放出手段に水を供給することを特徴とする乾燥機とすることにより、高温低湿の温風に長時間曝露し、湿気吸放出手段に水分が絶対量として不足している場合にも、積極的に湿気吸放出手段に吸着されている水分量を増やし、連続運転や長時間運転により非常に低湿度な状況下においても湿気吸放出手段の役割を果たすことができ、この際には、乾燥運転時に生成される衣類から除去された水分の結露水を、毛細管現象を利用して細管にて湿気吸放出手段と接触させ、利用することにより自動的に供給することが可能となる。
【００１７】
第５の発明は、特に、第１〜４の発明のいずれか１つの発明において、湿気吸放出手段は、格子状のフィルター形状を有し、ゼオライト、シリカゲルの少なくともいずれか一方を含む材料から構成されていることを特徴とする乾燥機とすることにより、空気が循環送風経路内を流れる際の風路抵抗を小さく保ちながら、かつ前記各材料がそれぞれ平衡吸着水分量を有することで、静電霧化発生手段の雰囲気近傍の相対湿度に応じてその含水率が変動し、相対湿度が下がった場合には吸着していた水分を放出し、また相対湿度が上がった場合には、平衡吸着水分量になるまで水分の吸着を行い、近傍の湿度を一定に維持することができる。
【００１８】
第６の発明は、特に、第１〜５の発明のいずれか１つの発明において、静電霧化発生手段は、放電極と、放電極に高電圧を印加するための電圧印加手段と、放電極に水を供給する水供給手段とを備え、前記水供給手段は、前記放電極を冷却し空気中の水分を結露させて前記放電極に結露水を生成させるペルチェ素子と、吸熱した熱を放出するための放熱フィンから構成されていることを特徴とする乾燥機とすることにより、静電霧化発生手段近傍の空気中より水分を簡便に集めることが可能となり、かつ放電極に水分を付着させることで、高圧放電時に発生する酸化力の高いオゾン等のラジカル種と霧化した水分子が結びつきやすくなり、さらには、微細な水分子となってラジカル種を取り囲んでいることで反応活性の高いラジカル種の超寿命化を図ることが可能となるとともに、空気中の水分を結露させるためにペルチェ素子を用いることによって、精度良く温度制御が可能となり、結露現象を正確に発現させることが可能となる。
【００１９】
第７の発明は、特に、第１〜６の発明のいずれか１つの発明において、静電霧化発生手段は、乾燥終了後に作動させることを特徴とする乾燥機とすることにより、乾燥終了直後のような一時的に循環送風経路内も含めた雰囲気湿度が極端に低くなっている場合であっても、乾燥運転時に生成される被乾燥物から除去された水分の結露水を、毛細管現象を利
用して細管等にて湿気吸放出手段と接触させることで湿気吸放出手段に十分に吸着水を保有した状態となっているため、静電霧化発生手段の近傍の湿度制御を行うことが可能となる。また、乾燥運転中のように経時的に送られてくる空気の湿度が変動しないため静電霧化発生手段の稼動制御が容易になる。
【００２０】
本発明の実施の形態に係る乾燥機について、図を参照しながら以下に説明し本発明の理解に供する。なお以下の説明は本発明の具体例であって、特許請求の内容を限定するものではない。
【００２１】
（実施の形態１）
図１は、本発明の実施の形態１における乾燥機の断面概略図、図２は、同乾燥機の静電霧化発生手段の断面概略図、図３は、同乾燥機の湿気吸放出手段の概略図、図４は、同乾燥機の湿気吸放出手段の相対湿度と含水率の関係図を示すものである。
【００２２】
図１において、被乾燥物を収容する収納室１を回転軸方向が水平となるようにして回転自在に設置し、乾燥工程を行う。また、送風ユニット９を備えた循環送風経路２が形成されており、収納室１内の空気を吸い込み、循環送風経路２内に設けられた冷却手段３、加熱手段４を経由して再び収納室１へ吹き出している。
【００２３】
また、循環送風経路２内の加熱手段４の下流側と送風ユニット９の上流側の間にはバイパス循環送風経路８が設けられ、バイパス循環送風経路８内には上流側より湿気吸放出手段６、静電霧化発生手段７が配設されている。循環送風経路２を流れる風は、切り替え弁５によってバイパス循環送風経路８を流れることになる。
【００２４】
収納室１の水平配置に対応して、正面側には収納室１の開口端に通じる衣類投入口が形成され、扉１１を開くことによって収納室１内に被乾燥物を出し入れすることが可能となる。この収納室１は乾燥機本体内部に配設されたモーター（図示せず）によって正転および逆転方向に回転駆動される。
【００２５】
また、循環送風経路２内に設けられた冷却手段３において結露した水の一部を湿気吸放出手段６へと供給するための給水手段１０が冷却手段３から湿気吸放出手段６まで配管接続されている。ここで、冷却手段３は冷却板に冷水を流して冷却する方法であっても、圧縮機、凝縮器、減圧装置および蒸発器を順次環状に配管接続して構成され、配管内を冷媒が循環するヒートポンプシステムにおける蒸発器であっても問題ない。さらに、加熱手段４はヒーター式であっても前記ヒートポンプシステムにおける凝縮器を用いても問題はない。
【００２６】
本実施の形態１における動作は、乾燥工程の過程で被乾燥物から出る水分を、循環送風経路２内に設けられた冷却部において結露させ、その一部の水分を毛細管現象や浸透現象を利用した給水手段１０によって湿気吸放出手段６まで供給し、湿気吸放出手段６が吸着している水分量が、放出することが困難なほど減少することを防いでいることで、乾燥終了直後や、繰り返し長時間使用した場合であっても静電霧化発生手段７の近傍の湿度雰囲気を適切に制御し、十分な静電霧化発生粒子が得られることで問題はなく、乾燥工程の途中であっても特に問題はない。また、稼動時において収容室１を回転させても静止させたままでも特に問題はない。
【００２７】
図２において、静電霧化発生手段７は、外郭ケース１２に収納され、ユニット化された状態で循環送風経路５に設置されている。ここで、循環送風経路５の径に対して外郭ケース１２の大きさは特に限定されるものではない。外郭ケース１２の内部には、電圧印加部１６の負電位側が霧化電極１３と正電位側が対向電極１４とそれぞれ電気的に接続され、
霧化電極１３の先端と対向電極１４間は一定距離となるように取り付けられている。さらに、霧化電極１３は、ペルチェ素子１７によって冷却されたアルミニウムやステンレスといった良熱伝導部材からなる冷却部１５に熱的に直接的または間接的に固定されている。放熱部１８は、循環送風経路５内で送風される空気との間で熱交換を行っても、循環送風経路５とは無関係に周囲の空気との熱交換を行っても特に問題はない。なお、内部に空気を吸い込む吸気口１９と、空気を排気する排気口２０を設けている。ここで、本実施の形態１の湿気吸放出手段６は、循環送風経路５において上流側にあり、循環送風経路５を流れてくる空気全体と接触する必要があり、静電霧化発生手段７と物理的に離れていても、吸気口１９に設けられていても構わないが、吸気口１９に設けられていることが望ましい。
【００２８】
静電霧化発生粒子の生成は、ペルチェ素子１７に通電することで冷却部１５を冷却すると、熱的に接続されている霧化電極１３が露点以下まで冷却される。露点温度以下となった霧化電極１３の先端で結露現象が起こり、空気中に存在する水分子が凝縮を始める。電圧印加部１６より高い電圧を霧化電極１３と対向電極１４との間でかけること（例えば、霧化電極１３を０Ｖ（ＧＮＤ）、対向電極１４を４〜１０ｋＶ）により両電極間でコロナ放電が起こり、霧化電極１３の先端に結露した水滴が、静電エネルギーにより微細化され、さらに液滴が帯電していることによりレイリー分裂により数ｎｍレベルの目視できない電化を持ったナノレベルの微細ミストと付随してオゾンやＯＨラジカルなども発生する。ここで、電極間に印加する電圧は、４〜１０ｋＶと高電圧であるものの、放電電流値としては数μＡレベルであり、入力としては０．５〜１．５Ｗと非常に小さいものとなっている。
非常に小さいものとなっている。
【００２９】
図３において、湿気吸放出手段６は、その形状を静電霧化発生手段７の吸気口１９に取り付ける際には、その形状を吸気口１９の形状にあわせ、また、循環送風経路５に取り付ける際には、循環送風経路５の形状にあわせれば、特に問題はない。また、送風時の流路抵抗を下げるために貫通孔２２を複数形成している。さらには、湿気吸放出手段６からの水分の放出量を増やし、早く放出させるために周囲に加熱手段２３を設け、電源２４により通電させることで湿気吸放出手段６の温度調整を行い、水分放出量の制御を行っている。
【００３０】
次に、図４を用いて静電霧化発生手段７付近の湿度調節機構を説明する。図４において、菱形は、湿気吸放出手段６をシリカゲルから構成した場合の相対湿度におけるシリカゲルの含水率、四角は、湿気吸放出手段６をゼオライトから構成した場合の相対湿度におけるゼオライトの含水率である。含水率は、固体重量と吸着された水分量に対する吸着された水分量の百分率である。
【００３１】
相対湿度が２０％の雰囲気下にゼオライトから構成された湿気吸放出手段６が置かれていたとすると、含水率は約１９．５％となり、ゼオライトの重量に対して最大１９．５％まで空気中の水分を吸着している。ここで、周辺の相対湿度が５％まで低下したとすると含水率は約５％程度まで低下し、差分である１４．５％分の吸着されていた水分が放出されることになる。実際には、水分を放出することで周辺の相対湿度も上がって行き、途中で平衡状態に落ち着くことになるものの、水分が放出されることによって再び周囲の相対湿度を高くすることができる。
【００３２】
また、逆に相対湿度が６０％の雰囲気下にシリカゲルから構成された湿気吸放出手段６が置かれていたとすると含水率は約２９．５％となっている。ここで、周辺の相対湿度が９０％まで高くなったとすると含水率は約３４．８％まで高まることで周辺から水分を吸着し始め、相対湿度を低下させることができる。さらに、この湿度調節操作は静電霧化手
段を稼動させる以前に行われることが好ましい。また、湿気吸放出手段６を加熱手段２３によって加熱することにより、吸着されていた水分の放出速度を速めたり、平衡含水率の値まで十分に含水していた水分を除き、新たに吸着できる水分量を増やすことが可能となる。
【００３３】
静電霧化発生手段７は、適切な湿度下に置かれるので、電気を帯びた微細な水分子の塊で、かつ酸化力の強いラジカルを含んだ静電霧化発生粒子を発生させることができ、かつ、その発生量が安定し、除菌および脱臭機能を安定して発現させることができ、また、静電霧化発生粒子を風に乗せて衣類や洗濯槽および受け筒に曝露させることにより衣類等を濡らすことなく、かつ菌の発生している箇所や臭いの発生源に直接的に効果を与えることができる。
【００３４】
また、静電霧化発生手段７は、乾燥終了後に作動させることにより、乾燥終了直後のような一時的に循環送風経路２内も含めた雰囲気湿度が極端に低くなっている場合であっても、乾燥運転時に生成される被乾燥物から除去された水分の結露水を、毛細管現象を利用して細管等にて湿気吸放出手段６と接触させることで湿気吸放出手段６に十分に吸着水を保有した状態となっているため、静電霧化発生手段７の近傍の湿度制御を行うことが可能となるとともに、乾燥運転中のように経時的に送られてくる空気の湿度が変動しないため静電霧化発生手段７の稼動制御が容易になる。
【００３５】
（実施の形態２）
図５は、本発明の実施の形態２における乾燥機の静電霧化発生手段の断面概略図を示したものである。実施の形態１と同一構成については、同一符号を付し、説明を省略する。
【００３６】
図５において、静電霧化発生手段２７は、吸気口１９に湿気吸放出手段６を設け、内部に湿度センサー２５を設けている。制御部２６は、この湿度センサー２５からの信号を読み取り、湿気吸放出手段２１を取り巻く加熱手段２３のＯＮ／ＯＦＦ制御を行う電源２４からの信号の処理を行っている。他の構成は、実施の形態１と同じである。以下に、実施の形態２の静電霧化発生手段２７の動作を以下に説明する。
【００３７】
静電霧化発生粒子による除菌および脱臭操作を始める前に、外郭ケース１２内部に設置された湿度センサー２５からの信号を制御部２６によって読み取り、外郭ケース１２内部（すなわち静電霧化発生手段２７近傍）の湿度が、静電霧化発生粒子を生成するために適切な湿度環境となっているのかを把握する。この時、湿度環境としては３０％ＲＨから８０％ＲＨまでの範囲であることが望ましい。湿度が低く、適切な湿度を逸脱していたと判断された際には加熱手段２３をＯＮにし、湿気吸放出手段２１を加熱することによって吸着されていた水分を放出し、外郭ケース１２内の湿度を高めていく。再び、湿度センサー２５にて外郭ケース１２内の湿度を観察しながら加熱手段２３を制御することによって適切な湿度領域まですることが可能となる。
【００３８】
逆に、湿気吸放出手段２１があることで、水分の侵入を防ぎ、外郭ケース１２内部が高湿になることはまれであるが、仮になった場合においても、湿気吸放出手段２３を加熱しながら送風を行い、一旦吸着していた水分を放出させて含水率を下げておくことで、吸着可能な水分量が増え、送風を停止した際に周囲の水分を吸着し、外郭ケース１２内の湿度を適切な範囲で維持することが可能となる。また、湿気吸放出手段２７を冷却することによっても吸着可能な水分量が増えることから冷却を行っても問題はない。
【００３９】
静電霧化発生手段２７近傍が、適切な湿度領域になったことを湿度センサー２５の信号より確認した後、ペルチェ素子への通電を行い、霧化電極１３を露点以下まで冷却し空気中の水分を霧化電極上で結露させる。電圧印加部１６より高い電圧を霧化電極１３と対向
電極１４との間でかけることにより両電極間でコロナ放電が起こり、霧化電極１３の先端に結露した水滴が、静電エネルギーにより微細化され、さらに液滴が帯電していることで、レイリー分裂により数ｎｍレベルの目視できない電化を持ったナノレベルの微細ミストと付随してオゾンやＯＨラジカルなども発生する。
【００４０】
そして、切り替え弁５によりバイパス循環送風経路８へと送風される状態にした後、送風ユニット９を稼動させることにより、静電霧化発生手段２７において生成された静電霧化発生粒子が収容室１内へと送り込まれ収容室１内に置かれている消臭や除菌の対象となるものに該効果を与えることができる。また、収容室１内に対象物が入れられていない場合においても、収容室１内の消臭や除菌を行うこととなる。
【産業上の利用可能性】
【００４１】
以上のように、本発明にかかる乾燥機は、乾燥機がどのような運転条件に置かれた場合においても、被乾燥物や被乾燥物を収容する収容室およびフィルター部に安定した静電霧化発生粒子を供給することによって被乾燥物や収容室、フィルター部を菌の繁殖から守り、脱臭効果を発現し常に清潔な状態に維持することができるため、除菌や消臭が必要な静電霧化方式を採用している水周りの設備機器等に適用することができ、安全で無害なため、家庭用の機器に適したものである。
【符号の説明】
【００４２】
１  収容室
５  循環送風経路
６  湿気吸放出手段
７  静電霧化発生手段
８  バイパス循環送風経路
【図１】
2011062393.tif 000003
【図２】
2011062393.tif 000004
【図５】
2011062393.tif 000005
【図３】
2011062393.tif 000006
【図４】
2011062393.tif 000007